(57)【特許請求の範囲】
【請求項１】
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部、を有する電源接続機器と、
複数の前記電源接続機器から前記複数のそれぞれのプラグ接続部に対応付けた検出値を取得して中継先に中継する中継器と、
前記中継器を通じて、前記複数の電源接続機器のそれぞれのプラグ接続部に対応付けた検出値を取得する通信部、
前記電源接続機器に対応付けて利用者を識別する識別情報を記憶する手段、
前記それぞれの電源接続機器について、その電源接続機器に含まれる少なくとも１つのプラグ接続部に対する電力使用判定情報を記憶する手段、および
前記複数の電源接続機器のそれぞれについて、前記プラグ接続部のいずれかに対応付けた検出値と前記電力使用判定情報との関係から前記電源接続機器を用いた電力使用量が利用者本人の使用による電力使用量か他人による電力使用量であるかを判定し前記利用者による電力使用量を算出する算出手段を有する情報処理装置と、
を備える使用電力管理システム。
【請求項２】
前記それぞれの利用者が使用する情報機器と前記情報機器に電力を供給する第１のプラグ接続部との関係を記憶する手段と、
前記第１のプラグ接続部を通じた利用者による電力使用量の積算開始時点を判定する手段と、
前記第１のプラグ接続部を通じた利用者による電力使用量の積算終了時点を判定する手段と、をさらに備え、
前記算出手段は、前記積算開始時点から積算終了時点までの間の前記第１のプラグ接続部以外の第２のプラグ接続部を通じた電力使用量を前記第１のプラグ接続部を通じた電力
使用量に加算することによって前記情報機器の利用者の電力使用量の合計を算出する
請求項１に記載の使用電力管理システム。
【請求項３】
前記算出手段は、前記第１のプラグ接続部を通じた利用者による電力使用量の積算終了時点後の前記第２のプラグ接続部を通じた電力使用量の変化量が所定の許容範囲にあるときに前記第２のプラグ接続部を通じた電力使用量を前記情報機器の利用者の電力使用量の合計に加算する
請求項２に記載の使用電力管理システム。
【請求項４】
複数の電源接続機器のそれぞれのプラグ接続部に対応付けた検出値を取得する通信部と、
前記電源接続機器に対応付けて利用者を識別する識別情報を記憶する手段と、
前記それぞれの電源接続機器について、その電源接続機器に含まれる少なくとも１つのプラグ接続部に対する電力使用判定情報を記憶する手段と、
前記複数の電源接続機器のそれぞれについて、前記プラグ接続部のいずれかに対応付けた検出値と前記電力使用判定情報との関係から前記電源接続機器を用いた電力使用量が利用者本人の使用による電力使用量か他人による電力使用量であるかを判定し前記利用者による電力使用量を算出する算出手段と、
を有する情報処理装置。
【請求項５】
コンピュータが、複数の電源接続機器のそれぞれのプラグ接続部に対応付けた検出値を取得するステップと、
前記電源接続機器に対応付けた利用者を識別する識別情報を読み出すステップと、
前記それぞれの電源接続機器について、少なくとも１つのプラグ接続部に対する電力使用判定情報を読み出すステップと、
前記複数の電源接続機器のそれぞれについて、前記プラグ接続部のいずれかに対応付けた検出値と前記電力使用判定情報との関係から前記電源接続機器を用いた電力使用量が利用者本人の使用による電力使用量か他人による電力使用量であるかを判定し前記利用者による電力使用量を算出する算出ステップと、
を実行する使用電力管理方法。
【請求項６】
コンピュータに、複数の電源接続機器のそれぞれのプラグ接続部に対応付けた検出値を取得するステップと、
前記電源接続機器に対応付けた利用者を識別する識別情報を読み出すステップと、
前記それぞれの電源接続機器について、少なくとも１つのプラグ接続部に対する電力使用判定情報を読み出すステップと、
前記複数の電源接続機器のそれぞれについて、前記プラグ接続部のいずれかに対応付けた検出値と前記電力使用判定情報との関係から前記電源接続機器を用いた電力使用量が利用者本人の使用による電力使用量か他人による電力使用量であるかを判定し前記利用者による電力使用量を算出する算出ステップと、
を実行させるプログラム。
【請求項７】
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部、を有する少なくとも１つの電源接続機器と、
前記データ出力部を通じて、電源接続機器のそれぞれのプラグ接続部に対応付けた検出値を取得する通信部、
前記電源接続機器に対応付けて利用者を識別する識別情報を記憶する手段、
前記それぞれの電源接続機器について、その電源接続機器に含まれる少なくとも１つのプラグ接続部に対する電力使用判定情報を記憶する手段、および
前記複数の電源接続機器のそれぞれについて、前記プラグ接続部のいずれかに対応付けた検出値と前記電力使用判定情報との関係から前記電源接続機器を用いた電力使用量が利用者本人の使用による電力使用量か他人による電力使用量であるかを判定し前記利用者による電力使用量を算出する算出手段を有する情報処理装置と、
を備える使用電力管理システム。
【発明の詳細な説明】
【技術分野】
【０００１】
本発明は、使用電力の管理技術に関する。
【背景技術】
【０００２】
オフィス内のオフィスオートメーション（以下、ＯＡ）機器が普及したことによりオフィスでの使用電力量が増加している。そこで、例えば、コンセント単位の電力を計測し、オフィスにおける個人レベルで消費電力を管理し、削減するような取り組みもなされている。そのような消費電力管理を支援する技術の一例として、スマート電源タップを例示できる。スマート電源タップは、富士通研究所が２０１０年３月３１日にプレスリリースを発表した（下記非特許文献１参照）。
【先行技術文献】
【特許文献】
【０００３】
【特許文献１】特許第３７３３９１０号公報
【特許文献２】特開２００９−１９５０９２号公報
【特許文献３】特開２０１０−６８６０１号公報
【特許文献４】特開２００９−２８４７４９号公報
【特許文献５】特開２０１０−２００５２８号公報
【特許文献６】特開２００７−２４１３６８号公報
【特許文献７】特許第２９５０５４７号公報
【特許文献８】特開２００７−１３２８０４号公報
【特許文献９】特開２００９−７０２６６号公報
【非特許文献】
【０００４】
【非特許文献１】"業界最小の電力センサ内蔵のスマート電源タップを開発"、［online］、２０１０年３月３１日、株式会社富士通研究所、［平成２３年１月１５日検索］、インターネット＜http://pr.fujitsu.com/jp/news/2010/03/31-3.html＞
【発明の概要】
【発明が解決しようとする課題】
【０００５】
スマート電源タップには、コンセントで例示されるプラグ接続部に流れる電流あるいは供給される電力を検出するセンサが内蔵されている。したがって、例えば、プラグ接続部ごとの使用電力を検出することが可能となった。
【０００６】
しかしながら、プラグ接続部ごとの使用電力を検出したとしても、利用者ごとの使用電力量を管理するには十分ではない。例えば、プラグ接続部ごとに利用者を割り当てたとしても、他の利用者に割り当てられているプラグ接続部を通じてＯＡ機器等の電力を利用する機器を使用し、自身の使用電力を見かけ上少なくしようとする場合もあるからである。このような場合には、利用者ごとの使用電力量の検出精度が十分でない場合も生じ得る。
【０００７】
開示の技術の課題は、複数の利用者が電力を利用する環境で、利用者ごとの使用電力量の検出精度を向上し、精度よく管理する手段を提供することにある。
【課題を解決するための手段】
【０００８】
開示の技術の一側面は、次の情報処理装置の構成によって例示される。すなわち、本情報処理装置は、複数の電源接続機器のそれぞれのプラグ接続部に対応付けた検出値を取得する通信部と、電源接続機器と対応付けて利用者を識別する識別情報を記憶する手段と、
それぞれの電源接続機器に対して、その電源接続機器に含まれる少なくとも１つのプラグ接続部を通じた電力使用判定情報を記憶する手段と、複数の電源接続機器のそれぞれについて、プラグ接続部のいずれかに対応付けた検出値と電力使用判定情報との関係から利用者による電力使用量を算出する算出手段と、を有する。
【発明の効果】
【０００９】
本情報処理装置によれば、複数の利用者が電力を利用する環境で、利用者ごとの使用電力量の検出精度を向上し、精度よく管理することができる。
【図面の簡単な説明】
【００１０】
【図１】ＯＡ機器のレイアウトの一例を示す図である。
【図２】電源接続機器の外観図の例である。
【図３】電源接続機器内の接続図の例である。
【図４】電源接続機器、中継装置、およびエネルギー管理サーバの信号処理に関連するハードウェアの構成を例示する図である。
【図５】ルータ、スイッチを含むオフィス内のネットワークの構成図を例示する図である。
【図６】エネルギー管理サーバの機能ブロック図を例示する図である。
【図７】電源接続機器データベースが有するセンサＩＤテーブルの構成例である。
【図８】電源接続機器データベースが有する設置エリアＩＤテーブルの構成例である。
【図９】電力値データベースの構成を例示する図である。
【図１０】接続機器データベースの構成を例示する図である。
【図１１】出退勤データベースの出勤退勤情報の構成を例示する図である。
【図１２】利用判定データベースのＰＣ利用電力値情報の構成を例示する。
【図１３】電源接続機器利用データベースのコンセント利用情報の構成を例示する図である。
【図１４】警告情報データベースの警報情報を例示する図である。
【図１５】使用電力管理システムによる計測例を例示する図である。
【図１６】電力管理処理のフローチャートを例示する図である。
【図１７】本人利用／他人利用判定処理の詳細を例示する図である。
【図１８】本人利用／他人利用判定処理の詳細を例示する図である。
【図１９】ＰＣへの電源投入時のコンセントで収集した電力の時間変化のパターンを例示する図である。
【図２０】ＰＣへの電源投入時の電力の時間変化のパターンによる本人利用／他人利用判定処理を例示するフローチャートである。
【発明を実施するための形態】
【００１１】
以下、図面を参照して、一実施形態に係る使用電力管理システムについて説明する。以下の実施形態の構成は例示であり、本使用電力管理システムは実施形態の構成には限定されない。
【実施例１】
【００１２】
以下、図１から図１８の図面に基づいて、実施例１に係る使用電力管理システムを説明する。  
【００１３】
＜システム構成＞
図１に、ＯＡ機器のレイアウトの一例を示す。図１は、例えば、オフィスの１フロアのレイアウトが例示されている。ここで、オフィスには、例えば、企業、役所、学校、商店、飲食店、各種サービス提供施設等で種々の情報を取り扱う部署の他、工場内、あるいは
作業現場等で種々の事務処理等を行う部署を含む。図１のオフィスは、複数の電源接続機器１−１、１−２、１−３、１−４等と、それぞれの電源接続機器１−１等に接続されるＯＡ機器と、電源接続機器１−１等で検出された電力値を収集し、中継先へ中継する中継器２を含む。ここで、電源接続機器１−１等は、ＯＡ機器に電力を供給するコンセントを配置した機器である。以下、電源接続機器１−１等を総称する場合には、電源接続機器１という。コンセントがプラグ接続部の一例である。
【００１４】
なお、中継器２が電流値を収集するようにしてもよい。電源接続機器１を通じて、機器に供給される電力の電圧が特定できる場合には、電流値を電力値に換算できるからである。後述するように、以下の実施例のオフィスでは、電源接続機器１には、電流センサが内蔵され、個々のコンセントから供給される電流値を検出する。電流センサがセンサの一例である。この電流値は、エネルギー管理サーバ３で電力値に変換され、データベースに格納される。ただし、電源接続機器１において、電力値を検出するようにしてもよい。例えば、電源接続機器１が電流センサとともに、電圧センサを内蔵するようにすればよい。また、電源接続機器１に電圧パラメータを設定できる機能を設け、設定された電圧パラメータにしたがって電流値を電力値に換算する処理部を設けてもよい。また、電源接続機器１において、電流値を検出し、中継器２が電流値を電力値に換算した後、エネルギー管理サーバ３に電力値を中継するようにしてもよい。この場合、中継器２には、電圧パラメータを設定できる機能を設けておけばよい。このように、機器に供給される電圧が特定できる場合には、電流値は、電力値と同様に見なすことができるため、以下の実施例では、電流と電力を同様に取り扱う。
【００１５】
さらに、図１のオフィスでは、中継器２を経由して各電源接続機器１で検出された電力の検出値を受信し、処理するエネルギー管理サーバ３と、エネルギー管理サーバ３での処理結果を基に、オフィスの使用電力を監視するための監視端末５が含まれている。エネルギー管理サーバ３が情報処理装置の一例である。
【００１６】
図１では、１フロア分のレイアウトが例示されているが、１台のエネルギー管理サーバ３、１台の監視端末５が、複数のフロアを管理するようにしてもよい。また、図１では、オフィスの１フロアは、３つのエリアＡ１、Ａ２、Ａ３を含む。１つのエリアには、中継器２が１台配置される。実施例１では、エリアは、中継器２が１台でカバーできる範囲とする。ただし、１フロアが３つのエリアに限定される訳ではなく、オフィスの状況、ニーズに応じて、適正なエリアを設定すればよい。
【００１７】
さらに、図１では、１台の中継器が４個の電源接続機器１に接続されているが、１台の中継器に接続される電源接続機器１の数が４個に限定される訳ではない。なお、電源接続機器１には、パーソナルコンピュータ等の情報処理装置、電気スタンド等のＯＡ機器の他、例えば、扇風機、暖房機器等も接続される場合がある。
【００１８】
さらにまた、図１では、エネルギー管理サーバ３が、オフィス内のネットワークに接続されているが、エネルギー管理サーバ３は、例えば、インターネット上のコンピュータ群である、クラウドの一部であってもよい。
【００１９】
＜ハードウェアの構成＞
図２は、電源接続機器１の外観図の例である。電源接続機器１として、例えば、スマート電源タップを例示できる。ただし、本使用電力管理システムにおいて、電源接続機器１がスマート電源タップに限定されるわけではなく、コンセントごとに供給される電流、あるいは、電力が検出可能なものであれば、どのようなものでもよい。
【００２０】
図２のように、電源接続機器１は、外観上、筐体と、筐体の一方の面に配列された複数
のコンセントＣ１と、筐体外部の商用電源を筐体内の各コンセントＣ１に接続する電源ケーブルＡＣ１と、筐体内で検出された電流値を筐体外の信号ケーブルＵＢ１に接続するアダプタＵＡ１とを有している。
【００２１】
コンセントＣ１は、例えば、ＯＡ機器に接続されている電源ケーブルのプラグを装着する１対のプラグ挿入口と、プラグのアース端子を受け入れるアース端子口とを有する。筐体内には、電力ケーブルＡＣ１から分岐し、各コンセントＣ１に供給する導電路と、分岐したそれぞれの導電路に接続される電極を有する。電極は、それぞれのプラグ挿入口内に埋め込まれており、電源ケーブルのプラグがコンセントＣ１に差し込まれたときにプラグのコンタクトに接触し、通電可能となる。
【００２２】
信号ケーブルＵＢ１は、例えば、ＵＳＢ（Universal Serial Bus）ケーブルであり、アダプタＵＡ１は、ＵＳＢコネクタを装着するアダプタである。ただし、信号ケーブルＵＢ１およびアダプタＵＡ１の種類に特に限定がある訳ではない。  
【００２３】
図３に、電源接続機器１内の接続図を例示する。図３のように、電源接続機器１は、筐体内に、図２の電源ケーブルＡＣ１に接続される導電路ＡＣ２と、導電路Ａ２から分岐した分岐路ＡＣ３と、分岐路ＡＣ３の先端部に接続される複数のコンタクトＣＴ１とを有する。
【００２４】
コンタクトＣＴ１は、図２に示したコンセントに装着されるプラグのコンタクトと接触し、通電可能となる。さらに、電源接続機器１は、それぞれの分岐路ＡＣ３を流れる電流を検出する複数の電流センサＣＳ１を有する。図３では、分岐路ＡＣ３、コンタクトＣＴ１、電流センサＣＳ１は、４組み示されている。
【００２５】
電流センサＣＳ１は、例えば、分岐路ＡＣ３の周囲に発生する磁界を検出する磁気センサ、例えば、ホール素子を含む。例えば、分岐路ＡＣ３の周囲に、磁性体で閉磁路を形成し、磁路の一部にホール素子をはめ込むようにすればよい。
【００２６】
さらに、電源接続機器１は、電流センサＣＳ１の検出信号を読みとり、処理する信号制御部１０を有する。４つの電流センサＣＳ１の検出信号は、それぞれ信号制御部１０に入力される。信号制御部１０は、電流センサＣＳ１のそれぞれの検出値に、電流センサＣＳ１が検出する電流の供給先となるコンセントの識別情報を対応付けて、アダプタＵＡ１に出力する。したがって、アダプタＵＡ１に接続される装置は、コンセントの識別情報に対応付けて、そのコンセントで使用されている電力値を取得可能となる。
【００２７】
図４は、電源接続機器１、中継装置２、およびエネルギー管理サーバ３の信号処理に関連するハードウェアの構成を例示する図である。すなわち、図４では、ＯＡ機器に電力を供給する導電路は除外し、電源接続機器１の電流センサＣＳ１で検出される検出値を処理するシステムのハードウェア構成が例示されている。
【００２８】
電源接続機器１内の信号制御部１０は、ＣＰＵ１１、メモリ１２、通信制御部１３、電力測定プログラム１９、およびＡＤ（Analog/Digital）変換部１４を有する。このうち、ＡＤ変換部１４は、電流センサＣＳ１の検出値をアナログ信号からデジタル信号に変換し、ＣＰＵ１１に引き渡す。
【００２９】
ＣＰＵ１１は、電力測定プログラム１９を実行し、信号制御部１０の機能を提供する。すなわち、ＣＰＵ１１は、それぞれの電流センサＣＳ１での検出値を読みとる。そして、ＣＰＵ１１は、通信制御部１３を介して、検出値をアダプタＵＡ１に出力する。なお、ＣＰＵ１１が出力する検出値は、例えば、所定の順序で４つの検出値を配列したベクトルデ
ータとすればよい。あるいは、ＣＰＵ１１は、４つの検出値に、それぞれコンセントを識別する識別情報を付与して出力してもよい。したがって、電流センサＣＳ１のそれぞれの検出値は、並び順または付与された識別情報によって、どのコンセントの検出値であるかが特定されることになる。ただし、ＣＰＵ１１は、電流センサＣＳ１での検出値を電力値に換算し、アダプタＵＡ１に出力してもよい。
【００３０】
メモリ１２は、主記憶装置とも呼ばれ、ＣＰＵ１１が処理するデータを保持する。通信制御部１３は、例えば、ＵＳＢのドライバ回路である。通信制御部１３は、ＣＰＵ１１から引き渡された信号を、例えば、アダプタＵＡ１を介して中継器２に引き渡す。なお、通信制御部１３は、ＵＳＢのドライバ回路に限定される訳ではなく、他の通信インターフェースであってもよい。電力測定プログラム１９は、例えば、ＣＰＵ１１で実行可能なバイナリプログラムであり、ＲＯＭ（Read Only Memory）に保持される。
【００３１】
中継器２は、ＣＰＵ２１と、メモリ２２と、通信制御部２３Ａ、２３Ｂと、ドライブ装置２４等を有する。ＣＰＵ２１は、ドライブ装置２４に格納され、メモリ２２に実行可能に展開された中継プログラムを実行し、中継器２の機能を提供する。すなわち、ＣＰＵ２１は、複数の電源接続装置１の信号制御部１０から、通信制御部２３Ｂを介して検出値を取得する。そして、ＣＰＵ２１は、複数の電源接続機器１から取得した検出値を配列して、所定順のベクトルとして通信制御部２３Ａからエネルギー管理サーバ３に引き渡す。ただし、中継器２は、複数の電源接続機器１から取得した検出値にそれぞれの電源接続機器１の識別情報を付与して、エネルギー管理サーバ３に引き渡すようにしてもよい。いずれにしても、エネルギー管理サーバ３は、検出値の並び順、または、検出値に付与された識別情報により、電源接続機器１、および電源接続機器１内のコンセントを区別して検出値を取得できる。
【００３２】
メモリ２２は、主記憶装置ということもできる。メモリ２２は、例えば、ＣＰＵ２１が実行する中継プログラム、あるいは、電源接続機器１の信号制御部１０から取得した検出値等を記憶する。通信制御部２３Ａは、エネルギー管理サーバ３と通信するインターフェースである。通信制御部２３Ａは、例えば、ＬＡＮ（Local Area Network）基板、あるいは、ＮＩＣ（Network Interface Card）と呼ばれる。ただし、通信制御部２３Ａは、無線ＬＡＮのインターフェース、Bluetoothのインターフェース等であってもよい。
【００３３】
通信制御部２３Ｂは、電源接続機器１の通信制御部１３と接続するためのインターフェースであり、例えば、ＵＳＢのドライバ回路である。ドライブ装置２４は、着脱可能な記憶媒体の入出力装置であり、例えば、フラッシュメモリカードの入出力装置、ＵＳＢメモリを接続するＵＳＢのアダプタ等である。ドライブ装置２４は、着脱可能な記憶媒体から中継プログラムを読み出し、メモリ２２に格納する。
【００３４】
エネルギー管理サーバ３は、ＣＰＵ３１、メモリ３２、通信制御部３３，ドライブ装置３４、ＨＤＤ（ハードディスク駆動装置）３５、表示制御部３６を有する。さらに、エネルギー管理サーバ３には、表示装置３７、入力装置３８等を接続可能である。
【００３５】
ＣＰＵ３１は、メモリ３２に実行可能に展開された管理プログラムを実行し、エネルギー管理サーバ３の機能を提供する。メモリ３２は、主記憶装置ということもできる。メモリ３２は、例えば、ＣＰＵ３１が実行する管理プログラム、あるいは、中継器２を介して取得した、各電源接続機器１の各電流センサＣＳ１の検出値等、各検出値から算出した電力値、その他の管理データ等を記憶する。
【００３６】
通信制御部３３は、中継器２の通信制御部２３Ａと通信可能なインターフェースである。通信制御部３３は、通信部の一例である。ドライブ装置３４は、着脱可能な記憶媒体の
入出力装置であり、例えば、フラッシュメモリカードの入出力装置、ＵＳＢメモリを接続するＵＳＢのアダプタ等である。ただし、ドライブ装置３４は、例えば、ＣＤ（Compact Disc）、ＤＶＤ（Digital Versatile Disk）、ブルーレイディスク（Blu-ray Disc）等のディスク媒体であってもよい。ドライブ装置３４は、着脱可能な記憶媒体から管理プログラムを読み出し、ＨＤＤ３５に格納する。
【００３７】
ＨＤＤ３５は、外部記憶装置ということもできる。外部記憶装置としては、ＳＳＤ（Solid State Drive）等であってもよい。ＨＤＤ３５は、ドライブ装置３４との間で、デー
タを授受する。例えば、ＨＤＤ３５は、ドライブ装置３４からインストールされる管理プログラム等を記憶する。また、ＨＤＤ３５は、管理プログラムを読み出し、メモリ３２に引き渡す。また、ＨＤＤ３５は、通信制御部３３および中継器２を介して取得された各電源接続機器１で検出された検出値、その他の管理データをメモリ３２から受け取り、不揮発性データとして保持する。表示制御部３６は、表示装置３７の制御回路を有し、ＣＰＵ３１が処理した結果のデータ等を表示装置３７に表示する。
【００３８】
表示装置３７は、例えば、液晶ディスプレイ、エレクトロルミネッセンスパネル等である。入力装置３８は、例えば、キーボード、ポインティングデバイス等を含む。ポインティングデバイスとしては、マウス、タッチパネル等を例示できる。なお、表示装置３７、入力装置３８をエネルギー管理サーバ３に接続する代わりに、図１に示した監視端末５の表示装置、および入力装置を用いて、エネルギー管理サーバ３の表示機能、入力機能を提供してもよい。
【００３９】
なお、監視端末５は、例えば、ＣＰＵ、主記憶装置、外部記憶装置、通信装置、着脱可能な記憶媒体の駆動装置等を含むコンピュータである。さらに、監視端末５は、キーボード、ポインティングデバイス等の入力装置、表示装置等を有する。監視端末５は、例えば、パーソナルコンピュータ等である。ただし、監視端末５は、携帯情報端末、携帯電話、スマートフォン、電子ブック等であってもよい。
【００４０】
図５に、ルータ、スイッチを含むオフィス内のネットワークの構成図を例示する。すなわち、図５は、図１で例示されるオフィスでの通信機器の接続例である。図５では、ルータＲ０の管理下でネットワークＮ１が形成されている。ルータＲ０は、例えば、外部のインターネットと接続する代理サーバの機能を有してもよい。すなわち、ルータＲ０は、図示しない外部のネットワークとオフィス内のネットワークＮ１とを接続するものであってもよい。
【００４１】
ネットワークＮ１には、ルータＲ１、Ｒ４、Ｒ５等が含まれる。ルータＲ１、Ｒ４、Ｒ５等は、ネットワークＮ１を複数の下位のネットワークに分割する。下位のネットワークは、サブネットと呼ぶこともできる。さらに、図５では、ルータＲ１の下位のネットワークが、ルータＲ２、Ｒ３等によって、下位のネットワークに接続されている。そして、ルータＲ２の下位のネットワークには、レイヤ２スイッチ（Ｌ２ＳＷ）ＬＳ１、ＬＳ２等が含まれている。そして、例えば、レイヤ２スイッチＬ１の下位のＬＡＮセグメントには、中継器２−１、２−２等、あるいは、情報処理装置等が接続されている。
【００４２】
なお、中継器２−１、２−２等を総称する場合には、中継器２という。また、ルータＲ１配下のルータＲ２、Ｒ３等の数、ルータＲ２配下のレイヤ２スイッチＬＳ１、ＬＳ２等の数、レイヤスイッチＬＳ１配下の中継器２−１、２−２等の数、情報処理装置の数が図５の例に限定される訳ではない。
【００４３】
レイヤ２スイッチＬＳ２の下位のＬＡＮセグメントの構成も、レイヤ２スイッチＬＳ１と同様である。ルータＲ３の下位のネットワークもルータＲ２の下位のネットワークと同
様である。また、ルータＲ２等の下位にさらに、他のルータを接続してもよい。また、逆に、ルータＲ２、Ｒ３等をなくし、ルータＲ１の下位にレイヤ２スイッチＬＳ１、ＬＳ２等を接続してもよい。ルータＲ４の下位のネットワークもルータＲ１の下位のネットワークと同様である。
【００４４】
さらに、ルータＲ５の下位のネットワークには、レイヤ２スイッチＬＳ３が含まれている。そして、レイヤ２スイッチＬＳ３の下位のＬＡＮセグメントには、エネルギー管理サーバ３、および監視端末５が接続されている。
【００４５】
ところで、図５のネットワークＮ１は、オフィスの家屋、ビル、建屋内で様々なレイアウトを採ることができる。例えば、ルータＲ１、ルータＲ４、ルータＲ５等を異なる階に設置し、階ごとに異なる下位ネットワークを構成してもよい。また、同一階にあるオフィスをさらに分割し、分割されたオフィスにルータＲ２、Ｒ３等を設置してもよい。
【００４６】
なお、上記図４、図５の構成では、電源接続機器１が中継器２を介してエネルギー管理サーバ３に接続されるシステムを例示した。しかし、本エネルギー管理システムは、上記構成に限定される訳ではない。例えば、中継器２が、いずれかの電源接続機器１に内蔵されるようにしてもよい。中継器２を内蔵する電源接続機器（例えば、電源接続機器１Ａ）が、中継器２を内蔵しない電源接続機器１から、検出値を取得し、エネルギー管理サーバ３に中継するようにしてもよい。また、中継器２を省略して、電源接続機器１と、エネルギー管理サーバ３とをネットワークで接続するようにしてもよい。中継器２を省略する場合には、電源接続機器１の通信制御部１３は、図４と同様、例えば、ＵＳＢのドライバ回路であってもよいし、ＬＡＮ基板、ＮＩＣ、無線ＬＡＮのインターフェース、Bluetooth
のインターフェース等であってもよい。
【００４７】
図６に、エネルギー管理サーバ３の機能ブロック図を例示する。エネルギー管理サーバ３は、電源接続機器設定部３０１、電力計測部３０２、接続機器判定部３０３、出退勤判定部３０４、電源接続機器利用判定部３０５、警報通知部３０６の各機能部を有し、本使用電力管理システムの管理機能を提供する。以上の各機能部は、エネルギー管理サーバ３が主記憶上に実行可能に展開されたコンピュータプログラムを実行することで提供される。
【００４８】
また、エネルギー管理サーバ３は、以上の機能部が参照し、あるいは、管理するデータの格納先として、電源接続機器データベース３１１、電力値データベース３１２、接続機器データベース３１３、出退勤データベース３１４、電源接続機器利用データベース３１５、警告情報データベース３１６、利用判定データベース３１７を有する。以上の各データベースは、例えば、エネルギー管理サーバ３の外部記憶装置、あるいは、ネットワークＮ１上のデータベース機能を提供する他のサーバの外部記憶装置等に構築される。
【００４９】
以下、図６に示した各機能部の機能を説明する。電源接続機器設定部３０１は、本使用電力管理システム内に含まれるエリア、エリア内の電源接続機器１、電源接続機器１内の電流センサ等のＩＤ割付を実行し、割付済みのＩＤ、空きＩＤ等を管理する。
【００５０】
図１ですでに説明したように、本使用電力管理システムが管理するオフィスは、複数のエリアに分割され、各エリアには中継器２が設置される。エリアは、中継器２が設置されるという意味で、設置エリアとも呼ばれる。また、エリアのＩＤは、中継器２のＩＤともいうことができる。そこで、エリアのＩＤとして、中継器２のＩＰアドレス、ＭＡＣアドレス等を用いるようにしてもよい。また、エリアのＩＤとして、本使用電力管理システムが独自に管理するＩＤを付与してもよい。本使用電力管理システムが独自に管理するＩＤをエリアのＩＤとする場合には、エリアのＩＤと、中継器２のＩＰアドレス、あるいは、
ＭＡＣアドレス等とを関連づけるアドレス関連づけテーブルを設けてもよい。
【００５１】
新規に中継器２が設置された場合には、エネルギー管理サーバ３は、入力部３８への操作を受け、コンピュータプログラムを起動し、電源接続機器設定部３０１として機能する。ただし、エネルギー管理サーバ３は、例えば、監視端末５からの操作にしたがって、コンピュータプログラムを起動し、電源接続機器設定部３０１として機能してもよい。
【００５２】
電源接続機器設定部３０１は、ユーザの操作により、表示装置３７等の画面上に、電源接続機器設定画面を表示し、設置された中継機器２に対応するエリアのＩＤ、中継器２に接続される電源接続機器１のＩＤ、電源接続機器１に含まれる電流センサのＩＤ等の設定を支援する。例えば、電源接続機器設定部３０１は、空きＩＤを検索して、ユーザに表示し、新たに設置されたエリア等のＩＤ、中継器２のＩＤ、電流センサのＩＤとして設定するように促す。電源接続機器設定部３０１は、ユーザが設定したエリア等のＩＤ、中継器２のＩＤ、電流センサのＩＤを電源接続機器データベース３１１に保存する。電源接続機器データベース３１１は、センサＩＤテーブルと設置エリアＩＤテーブルを含む。センサＩＤテーブルは、電源接続機器１内の個々の電流センサのＩＤを定義する。また、設置エリアＩＤテーブルは、オフィスの各エリアと、エリア内の電源接続機器１との関係を定義する。
【００５３】
また、例えば、電源接続機器設定部３０１は、新たに設置された中継器２のＩＰアドレス、ＭＡＣアドレス等をネットワークＮ１上の通信により、新たに設置された中継器２から取得してもよい。そして、電源接続機器設定部３０１は、取得した中継器２のＩＰアドレス、ＭＡＣアドレス等と、ユーザが設定したエリアのＩＤとの関連づけを図示しないデータベースに保存すればよい。また、例えば、電源接続機器設定部３０１は、新たに設置された中継器２のＩＰアドレス、ＭＡＣアドレス等をエリアのＩＤとして、電源接続機器データベース３１１に設定するようにしてもよい。
【００５４】
電力計測部３０２は、中継器２と通信し、電源接続機器１内の電流センサごとの電流値を取得し、電力値に換算し、電力値データベース３１２に保存する。電流センサごとの電流値は、電源接続機器のコンセントごとの電流値に該当する。
【００５５】
接続機器判定部３０３は、接続機器データベース３１３からそれぞれの電源接続機器１のそれぞれのコンセントに接続されている機器、および機器を割り当てられている正規利用者の関係を読み出す。さらに、接続機器判定部３０３は、機器のうち、特にパーソナルコンピュータ（以下、ＰＣという）が接続されたコンセントからＰＣに供給される電力値を基に、ＰＣの電源ＯＮを検出する。ＰＣが情報機器の一例である。例えば、接続機器判定部３０３は、利用判定データベース３１７を参照し、それぞれのＰＣが操作可能な状態にあるときに、ＰＣが接続されているコンセントからＰＣに供給される電力値（ＰＣ利用電力値情報）を読み出す。そして、コンセントにおいて、ＰＣ利用電力値を超える電力を検出すると、接続機器判定部３０３は、そのコンセントに接続されているＰＣの電源がＯＮになったと判定する。ＰＣ利用電力値が、電力使用判定情報の一例である。
【００５６】
ただし、接続機器判定部３０３は、ＰＣが接続されたコンセントからＰＣに供給される電力値の代わりに、例えば、電力値がある基準値を越えたことをトリガにして、電力波形（供給電力の時間変化）を取得するようにしてもよい。そして、ＰＣの電源ＯＮ時の電力波形を予め保存しておき、取得した電力波形と保存しておいた電力波形が所定の許容差の範囲で対応付けられたときに、ＰＣの電源がＯＮにされたと判定してもよい。保存しておいた電力波形が、電力使用判定情報の一例である。また、接続機器判定部３０３は、ＰＣが接続されたコンセントからＰＣに供給される電力値を基に、ＰＣの電源ＯＦＦを検出する。
【００５７】
出退勤判定部３０４は、ＰＣが接続されたコンセントの電力値情報に基づいて、ＰＣの利用者が出退勤したか否かの出退勤情報を作成し、出退勤データベース３１４に保存する。例えば、出退勤判定部３０４は、接続機器判定部３０３によって、ＰＣがＯＮになったときにＰＣの利用者が出勤したと判断してもよい。また、例えば、出退勤判定部３０４は、ネットワークＮ１を通じて、オフィスの入り口でカード読みとり装置によるユーザの出退勤を管理するシステムからの通知の後に、接続機器判定部３０３によって、ＰＣがＯＮになったときにＰＣの利用者が出勤したと判断してもよい。また、例えば、接続機器判定部３０３は、ＰＣにユーザがログインしたか否かを、ネットワークＮ１を通じてそのＰＣに問い合わせるようにしてもよい。あるいは、ＰＣにユーザがログインしたときに、ＰＣからエネルギー管理サーバ３に通知するようにしてもよい。そして、ユーザがＰＣにログインしたことによって、ユーザが出勤したと判断してもよい。
【００５８】
一方、出退勤判定部３０４は、接続機器判定部３０３によって、ＰＣがＯＦＦになったときにＰＣの利用者が退勤したと判断してもよい。また、出退勤判定部３０４は、ＰＣの電源ＯＦＦの後、さらに、ネットワークＮ１を通じて、オフィスの入り口でカード読みとり装置によるユーザの出退勤を管理するシステムからの通知によって、ユーザが退勤したと判定してもよい。また、例えば、接続機器判定部３０３は、ＰＣにユーザがログアウトしたか否かを、ネットワークＮ１を通じてそのＰＣに問い合わせるようにしてもよい。あるいは、ＰＣからユーザがログアウトするときに、ＰＣからエネルギー管理サーバ３に通知するようにしてもよい。そして、ユーザがＰＣからログアウトしたことによって、ユーザが退勤したと判断してもよい。
【００５９】
電源接続機器利用判定部３０５は、電源接続機器１で利用される電力がその電源接続機器１を割り当てられた正規利用者による利用か、他人による利用かを判断する。実施例１では、正規利用者による電源接続機器１のコンセントを通じた電力の利用を本人利用と呼ぶ。一方、正規利用者以外の他人よるその正規利用者に割り当てられた電源接続機器１のコンセントを通じた電力の利用を他人利用と呼ぶ。そして、電源接続機器利用判定部３０５は、正規利用者によって利用された電力を収集し、電源接続機器利用データベース３１５に保存する。電源接続機器利用判定部３０５が提供する利用者ごとの電力の計測例は、図１５にしたがって、後述する。
【００６０】
警報通知部３０６は、他人利用を検出した場合に、正規利用者のＰＣ、あるいは、監視端末５等に通知し、所定のメッセージ等を表示する。
【００６１】
＜データベースの構成＞
以下、エネルギー管理サーバ３がデータを入出力するデータベースの構成を例示する。図７は、電源接続機器データベース３１１が有するセンサＩＤテーブルの構成例であり、図８は、設置エリアＩＤテーブルの構成例である。図６に示したように、電源接続機器データベース３１１は、センサＩＤテーブルと、設置エリアＩＤテーブルとを含む。
【００６２】
このうち、センサＩＤテーブルは、電源接続機器ＩＤと、センサＩＤとを関連づける。電源接続機器ＩＤは、電源接続機器１をユニークに識別する識別情報である。また、センサＩＤは、電源接続機器１に含まれる電流センサの識別情報である。
【００６３】
設置エリアＩＤテーブルは、エリアＩＤ、エリア名、および電源接続機器ＩＤをそれぞれ関連づける。エリアＩＤは、中継器２が設置されるエリアの識別情報である。すでに述べたように、エリアには、中継器２が１台設置される。したがって、エリアＩＤは、中継器２をユニークに識別する識別情報ということができる。エリアＩＤは、中継器２のＩＰアドレス、あるいはＭＡＣアドレス等でもよい。
【００６４】
エリア名は、エリアの名称である。エリア名は、利用者、あるいは、本使用電力管理システムの管理者等に、エリアＩＤで特定されるエリアが、実際に人が認識するどのエリアであるかということを示す。図８の例では、エリア名として、１Ｆ、２Ｆ等のフロアの名称が例示されている。ただし、エリアは、フロアと対応して定義されるとは限らない。例えば、１つのフロアに複数のエリアが存在してもよい。また、複数のフロアをまとめて、１つのエリアとしてもよい。
【００６５】
電源接続機器ＩＤは、それぞれのエリアに設置されている電源接続機器１の識別情報である。図８の例では、例えば、エリア”１Ｆ”には、電源接続機器ＩＤが、”０１〜０３”で設定されている。ただし、設置エリアＩＤテーブルには、エリアＩＤとして、例えば、個々のエリアＩＤを列記するようにしてもよい。また、個々のエリアＩＤを個別に格納するフィールドを配列の形式で設置エリアＩＤテーブルに設けてもよい。
【００６６】
なお、本実施例では、エリアＩＤの１つとして、監視端末５のＩＤ（例えば、”Ｚ”）と、監視端末５の設置エリア（例えば、”Ｂ１Ｆ”）と、監視端末５のＩＤ（例えば、００）とが定義される。監視端末５のエリアを定義しておくのは、本使用電力管理システムの管理者、あるいは、本使用電力管理システムを利用するオフィスの管理者等に、監視端末５の位置を認識できるようにするためである。監視端末５の位置を認識できると、中継器２、電源接続機器１、電源接続機器１から電力を供給される機器等の管理上都合がいいからである。
【００６７】
図９に、電力値データベース３１２の構成を例示する。電力値データベース３１２は、電源接続機器ＩＤと、センサＩＤと、各センサの時間帯ごとの電力値のフィールドを有する。電源接続機器ＩＤとセンサＩＤについては、すでに、電源接続機器データベース３１１において説明した。図９で電力値は、時間帯、例えば、１０分間隔の時間で格納されている。１０分間隔の場合、１０分間の平均電力値を格納すればよい。ただし、平均値の他に、最大値、最小値等を保存するようにしてもよい。また、例えば、時間帯の各始点での電力値、時間帯の中央の時刻での電力値、時間帯の終点での電力値等を保存するようにしてもよい。例えば、電流センサによる検出は、１秒間隔で実行し、平均値、最大値、最小値、時間帯始点の検出値、中央の時刻での検出値、時間帯終点での検出値等のいずれか１以上を保存するようにしてもよい。
【００６８】
ただし、電力値を格納する時間間隔は、使用電力管理システムが要求される管理精度、システムの規模、データベースが構築される外部記憶装置の容量等によって適正なものを選択すればよい。例えば、５分間隔で、電力値を保存してもよい。また、例えば、１秒間隔で、電力値を保存してもよい。
【００６９】
電力値の保存の仕方として、図９では、表のカラムに時間帯が特定されている。したがって、管理情報として電力値検出開始時刻、検出終了時刻、時間帯の時間幅（保存する時間間隔）を保存した上で、電力値の列をデータベースに保存すればよい。あるいは、例えば、（電力値の検出の時刻、電力値）を組みした列を保存してもよい。
【００７０】
図１０に、接続機器データベース３１３の構成を例示する。接続機器データベース３１３は、電源接続機器ＩＤ、センサＩＤ、接続機器、利用者を対応付ける。図１０で、接続機器が”ＰＣ”となっているのは、その行で定義されている電源接続機器ＩＤとセンサＩＤとで特定されるコンセントには、ＰＣが接続されることを示す。一方、接続機器が”任意”となっているのは、その行で定義されている接続機器ＩＤとセンサＩＤとで特定されるコンセントに接続される機器には制約がないことを示す。接続機器データベース３１３は、電源接続機器と対応付けて利用者を識別する識別情報を記憶する手段の一例である。
接続機器データベース３１３は、それぞれの利用者が使用する情報機器と前記情報機器に電力を供給する第１のプラグ接続部との関係を記憶する手段の一例でもある。
【００７１】
図１１に、出退勤データベース３１４の出勤退勤情報の構成を例示する。出退勤情報は、利用者、電源接続機器ＩＤ、センサＩＤ、電力値、および出勤時刻の各フィールドを有する。このうち、利用者のフィールドには、出退勤を管理される利用者を識別する情報を格納する。電源接続機器ＩＤ、センサＩＤは、その利用者が使用する電源接続機器１のＩＤおよび電流センサのＩＤである。電力値のフィールドには、出勤が検出された根拠となる電力値の列が保存される。図１１では、４つの電力値が格納されているが、保存される電力値の数に限定がある訳ではない。なお、出退勤データベース３１４には、図１１の出退勤情報以外に、出退勤を管理する他の情報、例えば、業務開始時刻、業務終了時刻、残業時間、フレックスコアタイム等、様々な情報が含まれるが、詳細は省略する。
【００７２】
例えば、正規利用者のＰＣが接続されるコンセントにおいて、所定の基準以上の電力値が検出されたことをもって、その正規利用者が出勤したと判断する場合には、その基準値に達するまでの所定点数の電力値が電力値のフィールドに保存される。同様に、電力使用開始からの電力値の変化パターンが、利用者ごとに保存された電力値の変化のパターンと一致することを持って、利用者が出勤したと判断する場合には、その変化のパターンを特定できる数の電力値が保存される。また、例えば、電力値の変化のパターンは、ＨＤＤ３５上のファイルに保存し、そのファイル名を電力値のフィールドに保持するようにしてもよい。さらに、出勤時刻は、利用者の出勤が特定された時刻である。
【００７３】
図１２に、利用判定データベース３１７のＰＣ利用電力値情報の構成を例示する。ＰＣ利用電力値情報は、利用者がＰＣの利用を開始したか否かを判定するための基準値を保持する。図１２の例では、ＰＣ利用電力値情報は、利用者、電源接続機器ＩＤ、センサＩＤ、電力値の各フィールドを有する。ここで、利用者は、ＰＣの利用を開始した否かを判定される正規利用者本人を識別する情報である。電源接続機器ＩＤ、センサＩＤは、その正規利用者が使用するＰＣが接続される電源接続機器１のＩＤ、および、接続されるコンセントの電流を測定する電流センサのＩＤである。また、電力値は、ＰＣの利用が開始されたと判定できる電力値である。例えば、電流センサで検出される電流値に基づく電力値が、ＰＣ利用電力値情報に定義された電力値に達すると、ＰＣの利用が開始されたと判定される。電力値は、例えば、ＰＣの設置時に初期値を登録すればよい。直近の使用実績、例えば、前日の使用実績を基に、更新するようにしてもよい。ＰＣ利用電力判定データベース３１７は、電力使用判定情報を記憶する手段の一例である。また、ＰＣ利用電力値情報は、電力使用判定情報の一例である。
【００７４】
図１３に電源接続機器利用データベース３１５のコンセント利用情報の構成を例示する。コンセント利用情報は、電源接続機器１のコンセントごとに、利用者と利用時間と電力値とを含む。図１３のように、コンセント利用情報は、電源接続機器ＩＤ、センサＩＤ、利用者、開始時刻、期間（分）、電力値を含む。電源接続機器ＩＤ、センサＩＤは、すでに電源接続機器データベース３１１で説明した。利用者は、電源接続機器ＩＤとセンサＩＤで特定されるコンセント等の電力を使用したと判定される利用者を特定する情報である。利用者のフィールドが”不明”と設定されている場合、コンセントを割り当てられた正規利用者以外の他人がそのコンセントを利用しており、特定できないこと示す。開始時刻、期間（分）、電力値の各フィールドによって、電力の利用が検出された時期、検出された電力値、および検出間隔が示される。期間は、１秒、５分、１０分等、固定の間隔でもよい。なお、電力値は、検出間隔ごとに検出された電力値でもよいが、期間の平均値、最大値、最小値、期間の始期の検出値、期間の中央の検出値、期間の終期の検出値などでもよい。
【００７５】
図１４に、警告情報データベース３１６の警報情報を例示する。警報情報は、監視端末５、あるいは、利用者のＰＣ等に表示するメッセージ等である。
【００７６】
＜システムが提供する機能の例＞
図１５に、本使用電力管理システムによる計測例を例示する。以下は、エネルギー管理サーバ３の電源接続機器利用判定部３０５が提供する機能例である。以下の例では、センサＩＤ０１ａのコンセントにはＰＣが、センサＩＤ０１ｂのコンセントには扇風機が、センサＩＤ０１ｃのコンセントにはスタンド照明が接続され、一方、センサＩＤ０１ｄのコンセントは、ＰＣの正規利用者が未使用の機器が接続されているとして説明する。
【００７７】
電源接続機器１を用いると、個人レベルでの消費電力の可視化が可能となる。例えば、オフィスのスタッフ個人ごとに、電源接続機器１中のコンセントの使用許可を行い、利用者個人とコンセントの関係を割り付ける。そして、個人ごとに割り当てられたコンセントでの使用電力を計測し、エネルギー管理サーバ３にて電力を管理する。
【００７８】
しかしながら、利用者個人（=本人）に割り当てたコンセントを他人が利用した場合に
おいても電力が計上されてしまう可能性がある。本実施例では、本人利用、他人利用を電力値の検出によって判断する技術を説明する。より具体的には、以下の機能により、正規利用者本人と他人とを区別して使用電力を管理する。
（１）利用者それぞれにＰＣが割り当てられているオフィスの環境を前提とする。本使用電力管理システムは、ＰＣを割り当てられている正規利用者が出勤したと判断されるまでの間、その正規利用者に付与された電源接続機器１での使用電力は、利用者以外の他人による電力の利用（以下、「他人利用」）と判断する。図１５では、正規利用者以外の他人がその正規利用者に付与された電源接続機器１のコンセントを使用していると判断した箇所には「他人利用」が設定されている。
【００７９】
なお、図１５の計測例は、図１３のコンセント利用情報を見やすい形式で図示したものであり、図１３の利用者のフィールドで「不明」とされている箇所が、図１５の「他人利用」に該当する。
【００８０】
ＰＣの使用電力量が、ある基準値に達したときに、本使用電力管理システムは、そのＰＣを割り当てられている正規利用者がＰＣの使用を開始したと判断する。ここで、基準値は、例えば、ＰＣが操作可能な状態にあるときに、ＰＣが接続されているコンセントで検出した電力である。正規利用者がＰＣの使用を開始したと判断できたときに、本使用電力管理システムは、正規利用者のＰＣが接続されているコンセントを含む電源接続機器１上の他のコンセントついても、当該正規利用者が使用していると判断する（図１５の「計測１」参照）。
【００８１】
また、例えば、ＰＣの使用電力量が、電力使用開始から特定のパターンにしたがって変化したと認定されたときに、そのＰＣを割り当てられている正規利用者がＰＣの使用を開始したと判断してもよい。なお、一日のうち、最初にＰＣの使用を開始したと判断されたときに、そのＰＣの正規利用者が出勤したと判断してよい。
【００８２】
あるいは、例えば、正規利用者本人がＰＣにログインしたときに、正規利用者本人がＰＣの使用を開始したと判断してもよい。さらに、一日のうち、最初に正規利用者本人がＰＣにログインしたときに、そのＰＣの正規利用者が出勤したと判断してよい。
【００８３】
また、例えば、本使用電力管理システムは、出退勤管理を行うシステムと連携し、正規利用者本人が出勤したと検出されたときに、ＰＣが接続されているコンセントの電力値を計測し、操作可能な状態である電力が計測できた場合、コンセントを含むその電源接続機
器上の他のコンセントについても、当該正規利用者の使用と判断してもよい。
（２）他人利用の電力が計測されている状態で、（１）によって正規利用者が出勤したと判定されたときに、本使用電力管理システムは、その正規利用者のＰＣが接続されたコンセントを含む電源接続機器上の他のコンセントで計測済みの電力を他人利用ではなく、本人利用とする。すなわち、正規利用者が出勤した判断されるまで、他人利用として計上した電力を正規利用者の電力に含めて扱う（図１５の「計測２」）。当初、正規利用者本人による利用か、他人による利用かが判断できなかったが、正規利用者がＰＣの利用を開始したと判断された結果、不明であった電力をＰＣの正規利用者が使用していた可能性が高まるからである。なぜなら、正規利用者がＰＣの利用を開始した場合に、そのＰＣが接続されているコンセントを含む電源接続機器１の他のコンセントも使用する可能性が高いからである。
（３）（１）によって正規利用者が出勤していない判定されたときに、あるいは、正規利用者が不在であると使用電力管理システムは、正規利用者のＰＣが接続されたコンセントを含む電源接続機器１上の他のコンセントの電力値情報を参照する。そして、他のコンセントで計測された電力を他人利用の電力として計上する（図１５の「計測３」）。正規利用者が不在の場合に、他人が利用している可能性が高いからである。この場合も、正規利用者が不在か否かは、ＰＣが操作可能な状態にあるときにコンセントで検出した電力の基準値によって、判断できる。不在の場合、ＰＣは停止するか、または、操作可能でないスタンバイ状態になる可能性が高いからである。
（４）ＰＣでの使用電力が低下し、ＰＣの操作可能な状態でない電力が計測できたとき、本使用電力管理システムは、正規利用者がＰＣ近傍から離れた、あるいはＰＣの利用を停止したと判断する。正規利用者がＰＣの近傍から離れたと判断したときでも、ＰＣが接続されたコンセントを含む電源接続機器１上の他のコンセント上で、所定の変動範囲内で継続使用される電力が計測できている間は、本使用電力管理システムは、正規利用者本人による利用が継続していると判断する。正規利用者本人による利用が継続している間、本使用電力管理システムは、計測された電力を正規利用者の電力に含め扱う（図１５の「計測４」）。そして、所定の変動範囲を越えて、使用電力の低下を検出すると、本使用電力管理システムは、正規利用者以外の他人の利用と判断する。正規利用者がＰＣ近傍から離れた場合、あるいは、ＰＣを停止し、さらにその周辺のＯＡ機器の使用を止めた後に、正規利用者以外のもの、すなわち、そのＰＣを使用できない他人がコンセントの電力を利用している可能性が高いからである。
【００８４】
＜処理フロー＞  
図１６に、エネルギー管理サーバ３による電力管理処理のフローチャートを例示する。エネルギー管理サーバ３は、主記憶装置に実行可能に展開されたコンピュータプログラムにより電力管理処理を実行する。
【００８５】
電力管理処理を実行する前提として、エネルギー管理サーバ３は、まず、電源接続機器１およびセンサのＩＤを設定する（Ｓ１）。例えば、オフィス内に、新たな電源接続機器１が設置されたときには、システム管理者は、エネルギー管理サーバ３にアクセスし、所定の定義画面を立ち上げ、新たに設置された電源接続機器１をエネルギー管理サーバ３に登録する。例えば、４口コンセントを有する電源接続機器１に対しては、システム管理者は、１つの電源接続機器ＩＤと、４つのセンサＩＤとを設定する。設定に際して、エネルギー管理サーバ３は、未使用の電源接続機器ＩＤと、未使用のセンサＩＤを画面に表示し、ポインティングデバイス等によるシステム管理者の選択を促すようにしてもよい。エネルギー管理サーバ３は、システム管理者の指定にしたがって、電源接続機器データベース３１１のセンサＩＤテーブルに、電源接続機器ＩＤとセンサＩＤを対応付けて保存する。
【００８６】
また、エネルギー管理サーバ３は、設置エリアのＩＤを設定する（Ｓ２）。すでに述べたように、実施例１において、設置エリアは、中継器２がカバーするエリアである。Ｓ２
の処理では、設置エリアごとに、エリアＩＤと、それぞれのエリアに配置される１以上の電源接続機器１との関係が定義される。オフィス内に、新たな中継器２が設置されたときには、システム管理者は、エネルギー管理サーバ３にアクセスし、所定の定義画面を立ち上げる。そして、システム管理者は、新たに設置された中継器２がカバーするエリアのエリアＩＤ、エリア名、およびそのエリアに配置される電源接続機器１の関係をエネルギー管理サーバ３に登録する。
【００８７】
設定に際して、エネルギー管理サーバ３は、未使用のエリアＩＤを画面に表示し、ポインティングデバイス等によるシステム管理者の選択を促すようにしてもよい。また、エネルギー管理サーバ３は、電源接続機器データベース３１１に登録済みであるが、エリアに配置していない電源接続機器の一覧を画面に表示し、ポインティングデバイス等によるシステム管理者の選択を促すようにしてもよい。また、エネルギー管理サーバ３は、エリア名の入力をシステム管理者から受け付けるようにしてもよい。エネルギー管理サーバ３は、以上のようなシステム管理者の指定にしたがって、電源接続機器データベース３１１の設置エリアＩＤテーブルに、エリアＩＤとエリア名とそのエリアに配置される電源接続機器ＩＤとを対応付けて保存する。
【００８８】
なお、以上のＳ１およびＳ２の処理は、エネルギー管理サーバ３の電力管理処理とは、切り離してオフラインで実行すればよい。また、Ｓ１の処理と、Ｓ２の処理とは、シーケンシャルに実行しなくてもよい。
【００８９】
エネルギー管理サーバ３は、中継器２経由でそれぞれの電源接続機器１の電流センサから電流値を収集する（Ｓ３）。例えば、中継器２がカバーするエリア内の電源接続機器１の各電流ンサから電流値を定期的に取得し、エネルギー管理サーバ３に報告するようにすればよい。報告には、例えば、電源接続機器ＩＤ、センサＩＤとともに、その報告の時点で電流センサで検出されている電流値を含めるようにすればよい。ただし、中継器２は、それぞれの電源接続機器１およびそれぞれの電流センサから取得した電流値を所定の順で配列し、電流値ベクトルデータの形式で、エネルギー管理サーバ３に報告してもよい。エネルギー管理サーバ３は、電流値ベクトルデータの形式にしたがって、各電流センサの電流値を読みとればよい。エネルギー管理サーバ３は、収集した電流値を電力値に換算し、図９に示した形式で、電力値データベース３１２に格納すればよい。
【００９０】
この場合、エネルギー管理サーバ３は、収集した電力値をすべて電力値データベース３１２に格納してもよい。また、エネルギー管理サーバ３は、収集した電力値のうちの一部をサンプルとして、電力値データベース３１２に格納してもよい。
【００９１】
より具体的には、中継器２は比較的短期間、例えば、１秒間隔で電流値を取得し、エネルギー管理サーバ３に送信する。そして、エネルギー管理サーバ３は、中継器２から送信された電流値をすべて電力値に換算し、電力値データベース３１２に格納してもよい。また、エネルギー管理サーバ３は、中継器２から送信された電流値の集合から、所定期間、例えば、５分間隔でサンプル値を取得して電力値に換算し、電力値データベース３１２に格納してもよい。また、エネルギー管理サーバ３は、中継器２から送信された電流値から所定期間内の平均値、最大値、最小値、期間の始期の値、期間の終期の電力値等を求め、電力値データベース３１２に格納してもよい。
【００９２】
次に、エネルギー管理サーバ３は、接続機器データベース３１３から、それぞれの電源接続機器１に接続される接続機器を確認する（Ｓ４）。そして、エネルギー管理サーバ３は、Ｓ３の処理で収集した電力値と、電力値が収集された電源接続機器１に接続される接続機器の関係を取得する。
【００９３】
次に、エネルギー管理サーバ３は、出勤情報を取得する（Ｓ５）。出勤情報は、例えば、オフィス入り口でスタッフの出退勤を検知するする出退勤管理システムから取得すればよい。ただし、Ｓ５の処理は、必須ではなく、省略してもよい。以下のＰＣの電源ＯＮの検出等によっても、出勤を検知できることがあるからである。
【００９４】
そして、エネルギー管理サーバ３は、ＰＣで利用されている電力値情報を取得する（Ｓ６）。そして、エネルギー管理サーバ３は、本人利用／他人利用判定処理を実行する（Ｓ７）。なお、Ｓ６で有意な電力値情報、例えば、ＰＣが操作可能な状態にあるときに消費される電力（ＰＣに供給される電力）の検知をトリガに、Ｓ７の処理を実行するようにしてもよい。また、Ｓ５の出勤情報にて、正規利用者の出勤が認識されたときにＳ６、Ｓ７の処理を起動してもよい。なお、消費される電力には、コンセントに接続された機器に接続された機器の操作、動作、処理、運動等のために消費される電力の他、機器内の二次電池等に蓄積される電力を含む。このため、「消費される電力」を「供給される電力」ともいう。
【００９５】
本人利用／他人利用判定処理では、エネルギー管理サーバ３は、ＰＣが接続されている電源接続機器１のそれぞれのコンセントに接続されている機器がＰＣの正規利用者による利用か、ＰＣの正規利用者以外の者による利用かを判定する。実施例１では、ＰＣの正規利用者によるそのＰＣが接続された電源接続機器１内のコンセントの電力利用を本人利用という。また、ＰＣの利用者以外の者による、そのＰＣが接続された電源接続機器１内のコンセントの電力利用を他人利用という。なお、Ｓ６およびＳ７の処理は、接続機器判定部３０３および電源接続機器利用判定部３０５による処理である。エネルギー管理サーバ３のＣＰＵ３１１は、算出部として、Ｓ７の処理を実行する。
【００９６】
図１７および図１８に、本人利用／他人利用判定処理の詳細を例示する。この処理では、エネルギー管理サーバ３は、それぞれのＰＣについて、ＰＣが接続されているコンセントの電力値を電力値テーブル３１２から取得する（Ｓ７１）。そして、エネルギー管理サーバ３は、取得した電力値がＰＣ利用電力値を超えたか否かを判定する（Ｓ７２）。すでに述べたように、ＰＣ利用電力値は、ＰＣが操作可能な状態のときに流れる電力値の最低値である。逆に、ＰＣに接続されたコンセントからＰＣに供給される電力が、ＰＣ利用電力値以下である場合には、そのコンセントに接続されているＰＣは、操作可能な状態にないと判断できる。操作可能な状態にない場合とは、例えば、ＰＣの電源がＯＦＦの状態、ＰＣがスタンバイ状態、あるいは、電力セーブ状態にあって、ＰＣ内の一部の構成要素が停止している状態、あるいは、ＰＣのクロックの速度が低下した状態等にある場合を例示できる。エネルギー管理サーバ３のＣＰＵ３１は、第１のプラグ接続部を通じた電力供給の開始を検出する手段として、Ｓ７２の処理を実行する。
【００９７】
ＰＣが接続されているコンセントの電力値がＰＣ利用電力値を超えている場合に、エネルギー管理サーバ３は、その電源接続機器１を本人利用に設定する（Ｓ７３）。本人利用とは、そのＰＣの正規利用者としてオフィスで認定されている正規利用者がＰＣを利用している状態をいう。
【００９８】
次に、エネルギー管理サーバ３は、そのＰＣが接続されている電源接続機器１に含まれるコンセントのうち、ＰＣが接続されているコンセント以外で電力が検出されているか否かを判定する（Ｓ７４）。そして、ＰＣが接続されているコンセント以外で電力の供給が検出されている場合、エネルギー管理サーバ３は、該当のコンセントについて、電力値データベース３１２において、時間をさかのぼり、供給される電力値が０となる時刻を検索する。電力値０の時刻は、使用電力０Ｗとなる時刻ということもできる。そして、エネルギー管理サーバ３は、使用電力０Ｗの時刻から現在の時刻までの電力値を本人利用に設定する。そして、エネルギー管理サーバ３は、使用電力０Ｗの時刻から現在の時刻までの電
力値を本人利用の電力として加算する（Ｓ７５）。Ｓ７５の処理以降、このコンセントは、本人利用のコンセントとして設定される。Ｓ７５の以降の処理は、図１８において説明する。
【００９９】
一方、Ｓ７２の判定で、ＰＣが接続されているコンセントの電力値がＰＣ利用電力値を超えていない場合に、エネルギー管理サーバ３は、その電源接続機器１を他人利用に設定する（Ｓ７６）。他人利用とは、そのＰＣの正規利用者としてオフィスで認定されている利用者が電源接続機器１の電力を利用していない状態をいう。あるいは、そのＰＣの正規利用者としてオフィスで認定されている正規利用者以外の他人が電源接続機器１の電力を利用している状態とも考えることができる。
【０１００】
次に、エネルギー管理サーバ３は、そのＰＣが接続されている電源接続機器１に含まれるコンセントのうち、ＰＣが接続されているコンセント以外で電力が検出されているか否かを判定する（Ｓ７７）。そして、ＰＣが接続されているコンセント以外で電力の供給が検出されている場合、エネルギー管理サーバ３は、電力値に基づく電力値を他人利用の電力として加算する（Ｓ７８）。このとき、エネルギー管理サーバ３は、警告情報を監視端末５、あるいは、利用者のＰＣ等に送信してもよい。その後、エネルギー管理サーバ３は、制御をＳ７１に戻す。
【０１０１】
次に、図１８にしたがって、図１７のＳ７５に続く処理を説明する。すなわち、次に、エネルギー管理サーバ３は、ＰＣが接続されているコンセントの電力値を取得する（Ｓ７９）。そして、エネルギー管理サーバ３は、取得した電力値がＰＣ利用電力値を超えているか否かを判定する（Ｓ７Ａ）。エネルギー管理サーバ３のＣＰＵ３１は、第１のプラグ接続部を通じた利用者電力の積算終了時点を判定する手段として、Ｓ７Ａの処理を実行する。
【０１０２】
取得した電力値がＰＣ利用電力値を超えている場合に、エネルギー管理サーバ３は、取得した電力値を本人利用の電力値に加算する（Ｓ７Ｂ）。エネルギー管理サーバ３は、さらに、そのＰＣが接続されている電源接続機器１に含まれるコンセントのうち、ＰＣが接続されているコンセント以外で電力が検出されているか否かを判定する（Ｓ７Ｃ）。
【０１０３】
そして、ＰＣが接続されているコンセント以外で電力の供給が検出されている場合、検出された電力値を本人利用の電力値に加算する（Ｓ７Ｄ）。なお、Ｓ７Ｃ、Ｓ７Ｄの処理は、電源接続機器１内のそれぞれのコンセントに対して実行する。
【０１０４】
そして、エネルギー管理サーバ３は、制御をＳ７９に戻し、再度、ＰＣが接続されているコンセントの電力値を判定する。なお、Ｓ７Ｃの判定で、ＰＣが接続されているコンセント以外で電力値が検出されていない場合、エネルギー管理サーバ３は、そのまま制御をＳ７９に戻せばよい。Ｓ７９からＳ７Ｄの処理によって、エネルギー管理サーバ３は、ＰＣが操作可能な間、継続して、ＰＣが接続されている電源接続機器１のコンセントに接続されているそれぞれのコンセントの電力を本人利用として積算する。
【０１０５】
一方、Ｓ７Ａの判定で、取得した電力値がＰＣ利用電力値を超えていない場合に、エネルギー管理サーバ３は、そのＰＣが接続されている電源接続機器１に含まれるコンセントのうち、ＰＣが接続されているコンセント以外で本人利用中のコンセントがあるか否かを判定する（Ｓ７Ｅ）。本人利用中のコンセントとは、図１７のＳ７５の処理によって、本人利用のコンセントに設定されたコンセントである。
【０１０６】
そして、本人が利用中のコンセントがある場合に、エネルギー管理サーバ３は、当該コンセントで検出された電力値を本人利用の電力に加算する（Ｓ７Ｆ）。さらに、エネルギ
ー管理サーバ３は、当該コンセントにて、使用電力の低下を監視する。そして、当該コンセントにて、使用電力の低下幅が基準値を超えたか否かを判定する（Ｓ７Ｇ）。使用電力の低下幅が基準値以内であった場合、エネルギー管理サーバ３は、制御をＳ７Ｆに戻す。その結果、本人利用の電力がさらに加算される。つまり、Ｓ７Ａの判定で、正規利用者本人がＰＣの近傍から離れた、あるいはＰＣの利用を停止したと判断された場合であっても、ＰＣ以外が接続されているコンセントでの電力値の低下幅が基準値の範囲にある場合には、エネルギー管理サーバ３は、ＰＣ以外が接続されているコンセントで本人の利用が継続していると判断する。この基準値は、例えば、エネルギー管理サーバ３の制御パラメータとして、主記憶装置、外部記憶装置等に保存しておけばよい。基準値は、電力すなわち、ワット数で記憶してもよいし、変動割合、例えば、Ｎ％低下等を記憶してもよい。
【０１０７】
一方、Ｓ７Ｇの判定で、使用電力の低下幅が基準値を超えた場合、エネルギー管理サーバ３は、制御を図１７のＳ７１に戻す。すなわち、エネルギー管理サーバ３は、正規利用者本人がＰＣの近傍から離れた、あるいはＰＣの利用を停止したと判断され、かつ、ＰＣが接続されたコンセント以外のコンセントの電力利用も停止したと判断する。その結果、Ｓ７１から再度処理を開始する。  
【０１０８】
以上述べたように、実施例１によれば、エネルギー管理サーバ３は、ＰＣに接続されたコンセントから供給される電力値が基準値を超えたか否かにより、そのＰＣが操作可能な状態で動作しているか否かを判定する。そして、ＰＣに接続されたコンセントの電力値が基準値を超えている場合には、エネルギー管理サーバ３は、そのＰＣを割り当てられている利用者本人、例えば、ＰＣのログインパスワード等認識しているユーザがＰＣを使用していると判断する。その結果、エネルギー管理サーバ３は、同一の電源接続機器１上で、ＰＣが接続されているコンセント以外のコンセントでも、電力の利用が検出された場合には、それらのコンセントの電源利用者は、ＰＣの正規利用者本人であるとする。
【０１０９】
さらに、ＰＣの正規利用者本人による利用が確認できたとき、エネルギー管理サーバ３は、本人利用の判定までの間、ＰＣが接続された電源接続機器１上の他のコンセントで、他人利用とされていた電力をさかのぼって本人利用に加算する。一方、そのＰＣが操作可能な状態で動作していない場合には、電源接続機器１が本人利用でないと判断する。その結果、ＰＣの利用の有無を判断基準の一つとして、ＰＣが接続されている電源接続機器１について、本人利用か、他人利用かの判定精度を向上できる。
【０１１０】
さらにまた、一旦ＰＣの利用者本人がＰＣ利用中である判断され、その後、本人利用が停止されたと判断されて場合であっても、ＰＣが接続されているコンセント以外のコンセントにおいて、検出される電力値の低下幅が基準値以下である場合には、本人使用が継続していると判定する。その結果、ＰＣの利用の有無を判断基準の一つとして、ＰＣが接続されている電源接続機器１上のそれぞれのコンセントについて、本人利用か、他人利用かの判定精度を向上できる。
【０１１１】
上記実施例１では、電源接続機器１内に、コンセントごとに電流値を検出する電流センサを設けた。しかし、そのような構成に代えて、電源接続機器１内に、コンセントごとに使用電力値を検出するセンサ、例えば、電圧センサと電流センサとを設けてもよい。そして、中継器２は、電力値を電源接続機器１から収集し、エネルギー管理サーバ３に報告するようにしてもよい。
【０１１２】
さらに、上記実施例１では、Ｓ７２およびＳ７Ａの判定で例示したように、ＰＣに接続されるコンセントから供給される電力がＰＣ利用電力値を超えているか否かで、正規利用者による利用か否かを判定した。すなわち、ＰＣに接続されるコンセントから供給される電力がＰＣ利用電力値を超えている場合に、正規利用者に利用として電力を積算した。し
かしながら、この運用は、オフィスの状況に応じて、様々に変更し得る。例えば、ＰＣに接続されるコンセントから供給される電力がＰＣ利用電力値を超え、ＰＣに一旦操作可能になったと判定された後は、その後、ＰＣの電源がＯＦＦになったと判断されるまでの間、ＰＣに接続されたコンセントから供給される電力は、ＰＣの正規利用者の使用電力としてもよい。すなわち、ＰＣが一旦操作可能となり、その後電源セーブモード、あるいはスタンバイモードになった状態で使用される電力は正規利用者の使用電力として加算してもよい。
【０１１３】
したがって、この場合には、正規利用者のＰＣに接続される電源接続機器１での電力利用の開始は、ＰＣに接続されるコンセントから供給される電力がＰＣ利用電力値を超えているか否かで判定する。一方、ＰＣに接続されるコンセントでの電力の使用終了は、供給される電力（使用電力が０になったか否かで判定する。さらに、ＰＣに接続されるコンセント以外のコンセントでの電力利用は、実施例１と同様、ＰＣに接続されるコンセントから供給される電力がＰＣ利用電力値を超えている場合に限定してもよい。すなわち、ＰＣが電源セーブモード、あるいはスタンバイモードになった状態では、ＰＣが接続されたコンセント以外のコンセントは、ＰＣの正規利用者以外の他人が利用する可能性が高いと考えられるからである。
【実施例２】
【０１１４】
上記実施例１では、ＰＣが本人利用か否かを、ＰＣを操作可能な電力がコンセントからＰＣに供給されているか否かで判定した。しかし、電力値による判断に代えて、電力の時間変化パターンでそのＰＣを本人が利用しているか否かを判定してもよい。また、ＰＣが操作可能でなくなったことをコンセントから供給される力の時間変化のパターンがスタンバイモードに移行時の電力の時間変化のパターンに相当するか否かで判定してもよい。
【０１１５】
以下の実施例２は、ＰＣが本人利用か否かの判定の仕方以外の処理、およびシステムの構成は、実施例２と同様である。そこで、同一の構成要素については、同一の符号を付してその説明を省略する。
【０１１６】
図１９は、ＰＣへの電源投入時のコンセントからＰＣに供給される電力の時間変化のパターンを例示する。ＰＣにインストールされているアプリケーションプログラムの種類、バージョン、外部記憶装置上のファイルのブロックの断片化（フラグメンテーション）の程度、画面の表示設定等に依存して、ＰＣに電源投入時の電力の時間変化のパターンが異なる。図１９は、電源投入直後のＰＣ−Ａの電力の時間変化のパターンと、ＰＣ−Ｂの電力の時間変化のパターンとを例示している。２つのＰＣ間で、ＰＣに電源投入時の電力の時間変化のパターンが異なることが分かる。
【０１１７】
そのため、ＰＣごとに電源投入時の電力の時間変化のパターンをエネルギー管理サーバ３のデータベースに保存しておくことで、コンセントから供給される電力が、どのＰＣのものであるかを判別できる可能性を高めることができる。例えば、コンセントから電力を利用しているＰＣが図１９のＰＣ−Ａであるか、ＰＣ−Ｂであるかを判定できる。ＰＣごとの電源投入時の電力の時間変化のパターンは、例えば、毎起動時に取得し、保存しておいてもよい。また、例えば、毎週１回、毎月１回、毎年１回のように、時期を決めて行ってもよい。さらに、例えば、エネルギー管理サーバ３におけるシステム管理者の操作にしたがって、エネルギー管理サーバ３が電力値データベース３１２から、その操作時点での各ＰＣの電源投入時の電力の時間変化のパターンを取得するようにしてもよい。
【０１１８】
図２０は、ＰＣへの電源投入時の電流の時間変化のパターンによる本人利用／他人利用判定処理を例示するフローチャートである。この処理では、エネルギー管理サーバ３は、それぞれのＰＣについて、ＰＣが接続されているコンセントの電力値を電力値データベー
ス３１２から取得する（Ｓ７１）。そして、エネルギー管理サーバ３は、取得した電力値が起動を検知するために十分な基準値を超えたか否かを判定する（Ｓ７２Ａ）。基準値とは、ＰＣが起動時に流れる電力値の最低値である。逆に、ＰＣに接続されたコンセントから供給される電力が、基準値以下である場合には、そのコンセントに接続されているＰＣは、起動されていないと判断できる。
【０１１９】
そして、取得した電力値が基準値を超えた場合、エネルギー管理サーバ３は、ＰＣが接続されているコンセントの電力値の時間変化パターンを取得する（Ｓ７２Ｂ）。そして、取得した電力値の時間変化パターンをデータベースのパターンと比較し、ＰＣおよび利用者を特定する（Ｓ７２Ｃ）。
【０１２０】
Ｓ７２Ｃの処理で、コンセントの電力値の時間変化パターンが、データベースに保持されていずれかのＰＣ起動時の電力値の時間変化パターンと所定の許容差の限度で照合できた場合には、エネルギー管理サーバ３は、ＰＣを特定できたと判断する（Ｓ７２ＤでＹｅｓ）。ＰＣを特定できたと判断場合には、エネルギー管理サーバ３は、制御をＳ７４に進める。以降の処理は、実施例１と同様である。
【０１２１】
一方、Ｓ７２Ａの判定で、取得した電力値が基準値を超えていない場合、エネルギー管理サーバ３は、制御をＳ７６に進める。また、Ｓ７２Ｄの判定で、ＰＣを特定できないと判断した場合も、エネルギー管理サーバ３は、制御をＳ７６に進める。Ｓ７６以降の処理も実施例１と同様である。
【０１２２】
以上述べたように、実施例２によれば、ＰＣが起動時のコンセントから供給される電力の時間変化のパターンで、ＰＣおよび利用者を特定できる。したがって、ＰＣの利用者を特定する精度を高めることができる。
【０１２３】
上記実施例２では、エネルギー管理サーバ３が、コンセントから取得された電源投入時の電力の時間変化のパターンが、データベースに保存されたいずれかのＰＣの電源投入時の電力の時間変化のパターンと対応したか否かによって、起動されたＰＣを特定した。
【０１２４】
しかし、そのような処理に代えて、実施例１と同様に、取得した電力値が、ＰＣが操作可能な状態のときに流れる電力値を超えたか否かで判断した上で、さらに、厳密な確認のため、電源投入時の電力の時間変化のパターンを確認するようにしてもよい。すなわち、予め、コンセントごとに接続機器データベース３１３によって、接続されているＰＣが特定できる場合には、接続機器データベース３１３から特定できるＰＣについて、電源投入時の電力の時間変化のパターンを確認すればよい。この場合には、電源投入時の電力の時間変化のパターンからＰＣを特定するのではなく、単に、確認のために電源投入時の電力の時間変化のパターンを照合することになる。
【０１２５】
さらに、ＰＣがスタンバイ状態、あるいは、電力セーブ状態にあって、ＰＣ内の一部の構成要素が停止している状態から、操作可能な状態になったか否かついても、ＰＣが起動時のコンセントから供給される電力の時間変化のパターンによって判定してもよい。また、ＰＣがスタンバイ状態、あるいは、電力セーブ状態にあって、ＰＣ内の一部の構成要素が停止している状態から、操作可能な状態になるときのＰＣが接続されたコンセントから供給される電力の時間変化のパターンによって、ＰＣあるいはそのＰＣの正規利用者を特定してもよい。
【０１２６】
また、電源投入時の電力の時間変化のパターンの代わりに、利用者がＰＣにログインできたか否かによって、ＰＣの本人による利用開始を判断してもよい。例えば、それぞれのＰＣにおいて、利用者がログインしたときに、エネルギー管理サーバ３にログイン名、あ
るいは、ＰＣのノード名等を通知するようにすればよい。エネルギー管理サーバ３は、ログイン名、ＰＣのノード名の通知があったときに、そのログイン名、ＰＣのノード名で指定されるＰＣが接続されているコンセントを特定すればよい。そのため、例えば、図１０に例示した接続機器データベースには、ログイン名、ＰＣのノード名等を設定しておけばよい。
【０１２７】
上記実施例２では、ＰＣへの電源投入時の電力の時間変化のパターンで、本人利用と他人利用を判別した。同様に、利用中のＰＣ近傍から正規利用者が離れたか否かをＰＣの電力の時間変化で判定してもよい。例えば、実施例１の図１７のＳ７Ａで、ＰＣが接続されているコンセントから取得した電力値がＰＣ利用電力値未満になると（Ｓ７ＡでＮＯの場合）、エネルギー管理サーバ３は、ＰＣの正規利用者がＰＣ近傍から離れ、ＰＣを利用しなくなったと判断した。このとき、さらに、電力の時間変化のパターンで、ＰＣが操作可能な状態にないことを確認してもよい。例えば、通常のＰＣの操作可能な状態から電源セーブモード、あるいは、スタンバイモードへの移行時に、コンセントから供給される電力を記録しておけばよい。そして、電力値がＰＣ利用電力値未満になり、さらに、電力の時間変化のパターンが、通常のＰＣの操作可能な状態から電源セーブモード、あるいは、スタンバイモードへの移行時の電力の時間変化のパターンに対して、所定の許容差の範囲にあると判定されたときに、正規利用者がＰＣの利用を停止したと判定すればよい。
【０１２８】
＜その他＞
以上の実施形態は、さらに以下の付記と呼ぶ態様を含む。以下の各付記に含まれる構成要素は、他の付記に含まれる構成と組み合わせることができる。
【０１２９】
（付記１）
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部、を有する電源接続機器と、
複数の前記電源接続機器から前記複数のそれぞれのプラグ接続部に対応付けた検出値を取得して中継先に中継する中継器と、
前記中継器を通じて、前記複数の電源接続機器のそれぞれのプラグ接続部に対応付けた検出値を取得する通信部、
前記電源接続機器に対応付けて利用者を識別する識別情報を記憶する手段、
前記それぞれの電源接続機器について、その電源接続機器に含まれる少なくとも１つのプラグ接続部に対する電力使用判定情報を記憶する手段、および
前記複数の電源接続機器のそれぞれについて、前記プラグ接続部のいずれかに対応付けた検出値と前記電力使用判定情報との関係から前記利用者による電力使用量を算出する算出手段を有する情報処理装置と、を備える使用電力管理システム。
【０１３０】
（付記２）
前記それぞれの利用者が使用する情報機器と前記情報機器に電力を供給する第１のプラグ接続部との関係を記憶する手段と、
前記第１のプラグ接続部を通じた利用者による電力使用量の積算開始時点を判定する手段と、
前記第１のプラグ接続部を通じた利用者による電力使用量の積算終了時点を判定する手段と、をさらに備え、
前記算出手段は、前記電力供給の開始から電力供給の終了までの間の前記第１のプラグ接続部以外の第２のプラグ接続部を通じた電力使用量を前記第１のプラグ接続部を通じた電力使用量に加算することによって前記情報機器の利用者の電力使用量の合計を算出する
付記１に記載の使用電力管理システム。
【０１３１】
（付記３）
前記算出手段は、前記第１のプラグ接続部を通じた電力供給の停止後の前記第２のプラグ接続部を通じた電力使用量の変化量が所定の許容範囲にあるときに前記第２のプラグ接続部を通じた電力使用量を前記情報機器の利用者の電力使用量の合計に加算する付記２に記載の使用電力管理システム。
【０１３２】
（付記４）
複数の電源接続機器のそれぞれのプラグ接続部に対応付けた検出値を取得する通信部と、
前記電源接続機器に対応付けて利用者を識別する識別情報を記憶する手段と、
前記それぞれの電源接続機器について、その電源接続機器に含まれる少なくとも１つのプラグ接続部に対する電力使用判定情報を記憶する手段と、
前記複数の電源接続機器のそれぞれについて、前記プラグ接続部のいずれかに対応付けた検出値と前記電力使用判定情報との関係から前記利用者による電力使用量を算出する算出手段と、を有する情報処理装置。
【０１３３】
（付記５）
前記それぞれの利用者が使用する情報機器と前記情報機器に電力を供給する第１のプラグ接続部との関係を記憶する手段と、
前記第１のプラグ接続部を通じた利用者による電力使用量の積算開始時点を判定する手段と、
前記第１のプラグ接続部を通じた利用者による電力使用量の積算終了時点を判定する手段と、をさらに備え、
前記算出手段は、前記電力供給の開始から電力供給の終了までの間の前記第１のプラグ接続部以外の第２のプラグ接続部を通じた電力使用量を前記第１のプラグ接続部を通じた電力使用量に加算することによって前記情報機器の利用者の電力使用量の合計を算出する付記４に記載の情報処理装置。
【０１３４】
（付記６）
前記算出手段は、前記第１のプラグ接続部を通じた電力供給の停止後の前記第２のプラグ接続部を通じた電力使用量の変化量が所定の許容範囲にあるときに前記第２のプラグ接続部を通じた電力使用量を前記情報機器の利用者の電力使用量の合計に加算する付記５に記載の情報処理装置。
【０１３５】
（付記７）
コンピュータが、複数の電源接続機器のそれぞれのプラグ接続部に対応付けた検出値を取得するステップと、
前記電源接続機器に対応付けた利用者を識別する識別情報を読み出すステップと、
前記それぞれの電源接続機器について、少なくとも１つのプラグ接続部に対する電力使用判定情報を読み出すステップと、
前記複数の電源接続機器のそれぞれについて、前記プラグ接続部のいずれかに対応付けた検出値と前記電力使用判定情報との関係から前記利用者による電力使用量を算出する算出ステップと、を実行する使用電力管理方法。
【０１３６】
（付記８）
前記それぞれの利用者が使用する情報機器と前記情報機器に電力を供給する第１のプラグ接続部との関係を読み出すステップと、
前記第１のプラグ接続部を通じた利用者による電力使用量の積算開始時点を判定するス
テップと、
前記第１のプラグ接続部を通じた利用者による電力使用量の積算終了時点を判定するステップと、をさらに実行し、
前記算出ステップでは、前記コンピュータは、前記電力供給の開始から電力供給の終了までの間の前記第１のプラグ接続部以外の第２のプラグ接続部を通じた電力使用量を前記第１のプラグ接続部を通じた電力使用量に加算することによって前記情報機器の利用者の電力使用量の合計を算出する付記７に記載の使用電力管理方法。
【０１３７】
（付記９）
前記算出ステップでは、前記コンピュータは、前記第１のプラグ接続部を通じた電力供給の停止後の前記第２のプラグ接続部を通じた電力使用量の変化量が所定の許容範囲にあるときに前記第２のプラグ接続部を通じた電力使用量を前記情報機器の利用者の電力使用量の合計に加算する付記８に記載の使用電力管理方法。
【０１３８】
（付記１０）
コンピュータに、複数の電源接続機器のそれぞれのプラグ接続部に対応付けた検出値を取得するステップと、
前記電源接続機器に対応付けた利用者を識別する識別情報を読み出すステップと、
前記それぞれの電源接続機器について、少なくとも１つのプラグ接続部に対する電力使用判定情報を読み出すステップと、
前記複数の電源接続機器のそれぞれについて、前記プラグ接続部のいずれかに対応付けた検出値と前記電力使用判定情報との関係から前記利用者による電力使用量を算出する算出ステップと、を実行させるプログラム。
【０１３９】
（付記１１）
前記それぞれの利用者が使用する情報機器と前記情報機器に電力を供給する第１のプラグ接続部との関係を読み出すステップと、
前記第１のプラグ接続部を通じた利用者による電力使用量の積算開始時点を判定するステップと、
前記第１のプラグ接続部を通じた利用者による電力使用量の積算終了時点を判定するステップと、をさらに実行させ、
前記算出ステップでは、前記コンピュータに、前記電力供給の開始から電力供給の終了までの間の前記第１のプラグ接続部以外の第２のプラグ接続部を通じた電力使用量を前記第１のプラグ接続部を通じた電力使用量に加算することによって前記情報機器の利用者の電力使用量の合計を算出するステップを実行させる付記１０に記載のプログラム。
【０１４０】
（付記１２）
前記算出ステップでは、前記コンピュータに、前記第１のプラグ接続部を通じた電力供給の停止後の前記第２のプラグ接続部を通じた電力使用量の変化量が所定の許容範囲にあるときに前記第２のプラグ接続部を通じた電力使用量を前記情報機器の利用者の電力使用量の合計に加算するステップを実行させる付記１１に記載のプログラム。
【０１４１】
（付記１３）
複数のプラグ接続部、
前記複数のプラグ接続部のそれぞれに供給される電流または電力を検出する複数のセンサ、および、
前記複数のセンサが検出した検出値を前記複数のプラグ接続部に対応付けて出力するデータ出力部、を有する少なくとも１つの電源接続機器と、
前記データ出力部を通じて、電源接続機器のそれぞれのプラグ接続部に対応付けた検出値を取得する通信部、
前記電源接続機器に対応付けて利用者を識別する識別情報を記憶する手段、
前記それぞれの電源接続機器について、その電源接続機器に含まれる少なくとも１つのプラグ接続部に対する電力使用判定情報を記憶する手段、および
前記複数の電源接続機器のそれぞれについて、前記プラグ接続部のいずれかに対応付けた検出値と前記電力使用判定情報との関係から前記利用者による電力使用量を算出する算出手段を有する情報処理装置と、を備える使用電力管理システム。
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１４２】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【０１４３】
１  電源接続機器   
２  中継器
３  エネルギー管理サーバ
３０１  電源接続機器設定部
３０２  電力計測部
３０３  接続機器判定部
３０４  出退勤判定部
３０５  電源接続機器利用判定部
３０６  警報通知部
３１１  電源接続機器データベース
３１２  電力値データベース
３１３  接続機器データベース
３１４  出退勤データベース
３１５  電源接続機器利用データベース
３１６  警報情報データベース
３１７  利用判定データベース
【図１】
0005711563.tif 000002
【図２】
0005711563.tif 000003
【図３】
0005711563.tif 000004
【図４】
0005711563.tif 000005
【図５】
0005711563.tif 000006
【図６】
0005711563.tif 000007
【図７】
0005711563.tif 000008
【図８】
0005711563.tif 000009
【図９】
0005711563.tif 000010
【図１０】
0005711563.tif 000011
【図１１】
0005711563.tif 000012
【図１２】
0005711563.tif 000013
【図１３】
0005711563.tif 000014
【図１４】
0005711563.tif 000015
【図１５】
0005711563.tif 000016
【図１６】
0005711563.tif 000017
【図１７】
0005711563.tif 000018
【図１８】
0005711563.tif 000019
【図１９】
0005711563.tif 000020
【図２０】
0005711563.tif 000021